【手続補正書】
【提出日】平成24年11月1日(2012.11.1)
【手続補正１】
【補正対象書類名】特許請求の範囲
【補正対象項目名】全文
【補正方法】変更
【補正の内容】
【特許請求の範囲】
【請求項１】
一組の発光素子および画素回路が２次元配置された表示部と、
前記画素回路を駆動する駆動部と
を備え、
前記画素回路は、第１ゲートおよび第２ゲートを含み、かつ前記発光素子に流れる電流を制御するデュアルゲート型の第１トランジスタと、映像信号に応じた信号電圧を前記第１ゲートに書き込む第２トランジスタとを有し、
前記駆動部は、前記発光素子を発光させていない時と、前記発光素子を発光させている時とで、前記第２ゲートに印加する電圧を異ならせる
表示装置。
【請求項２】
前記駆動部は、前記第１トランジスタの閾値補正を行っている時と、前記発光素子を発光させている時とで、前記第２ゲートに印加する電圧を異ならせる
請求項１に記載の表示装置。
【請求項３】
前記駆動部は、前記第１トランジスタの閾値補正および移動度補正を行っている時と、前記発光素子を発光させている時とで、前記第２ゲートに印加する電圧を異ならせる
請求項１に記載の表示装置。
【請求項４】
前記画素回路は、前記発光素子のうち前記第１トランジスタ側の端子と前記第２ゲートとの電気的な接続を制御するスイッチング素子を有すると共に、前記第１トランジスタと前記スイッチング素子との接続点と前記駆動部との間に容量素子を有する
請求項１ないし請求項３のいずれか一項に記載の表示装置。
【請求項５】
前記駆動部は、少なくとも前記第１トランジスタの閾値補正および移動度補正を行っている間、前記スイッチング素子をオンし、発光が開始された後、前記スイッチング素子をオフする
請求項３に記載の表示装置。
【請求項６】
前記駆動部は、前記第１トランジスタがｎチャネル型である場合には、前記発光素子を発光させている時に前記第２ゲートに印加する電圧を、前記第１トランジスタの閾値補正および移動度補正を行っている時に前記第２ゲートに印加する電圧よりも高くする
請求項３ないし請求項５のいずれか一項に記載の表示装置。
【請求項７】
前記駆動部は、前記第１トランジスタがｐチャネル型である場合には、前記発光素子を発光させている時に前記第２ゲートに印加する電圧を、前記第１トランジスタの閾値補正および移動度補正を行っている時に前記第２ゲートに印加する電圧よりも低くする
請求項３ないし請求項５のいずれか一項に記載の表示装置。
【請求項８】
一組の発光素子および画素回路が２次元配置された表示部と、
複数の書込線と、複数の信号線と、複数のバックゲート線とを駆動する駆動部と
を備え、
前記画素回路は、第１トランジスタと、第２トランジスタと、容量とを有し、
前記第１トランジスタは、第１ゲートおよび第２ゲートを含み、かつ前記第１トランジスタの第１ゲート電位とソース電位の電位差および第２ゲート電位に応じて前記発光素子に流れる電流を制御し、
前記第２トランジスタは、前記映像信号に応じた信号電圧を前記容量に書き込み、
前記駆動部は、前記信号線の電圧が前記信号電圧となっている間に、前記書込線の電圧を前記第２トランジスタが導通する電圧に切り替えて前記第１ゲートを信号線に電気的に接続し、前記発光素子の発光前に前記第１トランジスタを介して前記容量に電流を流して、前記第１ゲート電位と前記ソース電位との電位差を減少させる補正動作を行い、
前記駆動部は、前記補正動作時と、前記発光素子を発光させている時とで、前記第２ゲートに印加する電圧を異ならせる
表示装置。
【請求項９】
一組の発光素子および画素回路が２次元配置された表示部と、
前記画素回路を駆動する駆動部と
を備え、
前記画素回路は、第１ゲートおよび第２ゲートを含み、かつ前記発光素子に流れる電流を制御するデュアルゲート型の第１トランジスタと、映像信号に応じた信号電圧を前記第１ゲートに書き込む第２トランジスタとを有し、
前記駆動部は、前記画素回路に前記信号電圧を供給する信号線駆動回路と、前記第２トランジスタの導通状態を制御する書込線駆動回路と、前記画素回路の第２ゲートに電圧を供給する第２ゲート線駆動回路とを備え、
前記第２ゲート線駆動回路は、前記発光素子を発光させていない時と、前記発光素子を発光させている時とで、前記第２ゲートに印加する電圧を異ならせる
表示装置。
【請求項１０】
一組の発光素子および画素回路が２次元配置された表示部と、映像信号に基づいて前記画素回路を駆動する駆動部とを備え、前記画素回路が、第１ゲートおよび第２ゲートを含み、かつ前記発光素子に流れる電流を制御するデュアルゲート型の第１トランジスタと、前記映像信号に応じた信号電圧を前記第１ゲートに書き込む第２トランジスタとを有する発光装置を用意するステップと、
前記駆動部を用いて、前記発光素子を発光させていない時に前記第２ゲートに第１電圧を印加したのち、前記発光素子を発光させている時に前記第２ゲートに前記第１電圧とは大きさの異なる第２電圧を印加するステップと
を含む表示装置の駆動方法。
【請求項１１】
表示装置を備え、
前記表示装置は、
一組の発光素子および画素回路が２次元配置された表示部と、
映像信号に基づいて前記画素回路を駆動する駆動部と
を備え、
前記画素回路は、第１ゲートおよび第２ゲートを含み、かつ前記発光素子に流れる電流を制御するデュアルゲート型の第１トランジスタと、前記映像信号に応じた信号電圧を前記第１ゲートに書き込む第２トランジスタとを有し、
前記駆動部は、前記発光素子を発光させていない時と、前記発光素子を発光させている時とで、前記第２ゲートに印加する電圧を異ならせる
電子機器。
【手続補正２】
【補正対象書類名】明細書
【補正対象項目名】００１０
【補正方法】変更
【補正の内容】
【００１０】
本発明の第１の表示装置は、一組の発光素子および画素回路が２次元配置された表示部と、画素回路を駆動する駆動部とを備えたものである。画素回路は、２つのトランジスタ（第１トランジスタ，第２トランジスタ）を有している。第１トランジスタは、第１ゲートおよび第２ゲートを含んでおり、発光素子に流れる電流を制御するデュアルゲート型のトランジスタである。一方、第２トランジスタは、映像信号に応じた信号電圧を第１ゲートに書き込むトランジスタである。駆動部は、第発光素子を発光させていない時と、発光素子を発光させている時とで、第２ゲートに印加する電圧を異ならせるようになっている。
本発明の第２の表示装置は、一組の発光素子および画素回路が２次元配置された表示部と、複数の書込線、複数の信号線、および複数のバックゲート線を駆動する駆動部とを備えたものである。画素回路は、第１トランジスタと、第２トランジスタと、容量とを有している。第１トランジスタは、第１ゲートおよび第２ゲートを含み、かつ第１トランジスタの第１ゲート電位とソース電位の電位差および第２ゲート電位に応じて発光素子に流れる電流を制御するようになっている。一方、第２トランジスタは、映像信号に応じた信号電圧を容量に書き込むようになっている。駆動部は、信号線の電圧が信号電圧となっている間に、書込線の電圧を第２トランジスタが導通する電圧に切り替えて第１ゲートを信号線に電気的に接続し、発光素子の発光前に第１トランジスタを介して容量に電流を流して、第１ゲート電位とソース電位との電位差を減少させる補正動作を行うようになっている。駆動部は、さらに、補正動作時と、発光素子を発光させている時とで、第２ゲートに印加する電圧を異ならせるようになっている。
本発明の第３の表示装置は、一組の発光素子および画素回路が２次元配置された表示部と画素回路を駆動する駆動部とを備えたものである。画素回路は、２つのトランジスタ（第１トランジスタ，第２トランジスタ）を有している。第１トランジスタは、第１ゲートおよび第２ゲートを含んでおり、発光素子に流れる電流を制御するデュアルゲート型のトランジスタである。一方、第２トランジスタは、映像信号に応じた信号電圧を第１ゲートに書き込むトランジスタである。駆動部は、画素回路に信号電圧を供給する信号線駆動回路と、第２トランジスタの導通状態を制御する書込線駆動回路と、画素回路の第２ゲートに電圧を供給する第２ゲート線駆動回路とを有している。第２ゲート線駆動回路は、発光素子を発光させていない時と、発光素子を発光させている時とで、第２ゲートに印加する電圧を異ならせるようになっている。
【手続補正３】
【補正対象書類名】明細書
【補正対象項目名】００１３
【補正方法】変更
【補正の内容】
【００１３】
本発明の表示装置の駆動方法は、以下の２つのステップを含むものである。
（Ａ）以下の構成を備えた表示装置を用意するステップ
（Ｂ）駆動部を用いて、発光素子を発光させていない時に第２ゲートに第１電圧を印加したのち、発光素子を発光させている時に第２ゲートに第１電圧とは大きさの異なる第２電圧を印加するステップ
【手続補正４】
【補正対象書類名】明細書
【補正対象項目名】００１５
【補正方法】変更
【補正の内容】
【００１５】
本発明の第１の表示装置およびその駆動方法ならびに電子機器では、発光素子を発光させていない時と、発光素子を発光させている時とで、第１トランジスタの第２ゲートに印加する電圧が異なっている。これにより、第１ゲートに書き込む信号電圧の大きさを大きくする代わりに、第２ゲートに印加する電圧を適切に調整することにより、発光素子に流れる電流を大きくすることができる。
【手続補正５】
【補正対象書類名】明細書
【補正対象項目名】００１６
【補正方法】変更
【補正の内容】
【００１６】
本発明の第１の表示装置およびその駆動方法ならびに電子機器によれば、第１ゲートに書き込む信号電圧の大きさを大きくする代わりに、第２ゲートに印加する電圧を適切に調整することにより、発光素子に流れる電流を大きくすることができるようにした。これにより、第１ゲートに書き込む信号電圧を大きくしなくても、高輝度を得ることができるので、移動度μの補正に適した時間ｔを過度に短くすることなく、高輝度化を実現することができる。